(57)【要約】【課題】櫛歯21付きのアプリケーターＢに一対の液体収納容器Ａを装着して使用する二液用塗布容器であって、二液の吐出，塗布を極めて簡単な操作で行えるとともに、その構造が簡単で安価に製造でき、また、収納液の乾燥，固化を防止して、開封後も多少の保存が可能な優れた二液用塗布容器を提案する。【解決手段】圧搾可能な収納皿部４上端よりフランジ５を突設した容器本体２上面にシート状の蓋体３を固着し、容器本体のフランジ５と蓋体３とで構成したノズル部６を設けた一対の液体収納容器Ａを、ノズル部６先端を切り取り開封した後、前面に櫛歯21を突設したケース20の第１収納部23及び第２収納部にスライド嵌合させ、各収納皿部を押圧することにより、収納液をケース先端の吐出口29より櫛歯部分へ吐出する如く構成した。【選択図】図１
2006232382.tif 000002
【特許請求の範囲】
【請求項１】
一対の液体収納容器Ａを櫛歯21付きのアプリケーターＢに装着して使用する二液用塗布容器であって、前記液体収納容器Ａは、圧搾可能な収納皿部４の上端開口縁よりフランジ５を延設した容器本体２と、前記収納皿部４の上端開口を閉塞して前記フランジ５上に周縁部を固着したシート状の蓋体３とからなり、前記フランジ５の一部を、中央に前記収納皿部４と連通する非固着部ａを設けて前記蓋体３を固着したノズル部６として突出形成し、且つ、非固着部ａの先端部分を含んでノズル部６先端部を切り取り可能に構成してなり、前記アプリケーターＢは、内部を二分割する仕切板22を設けて第１収納部23及び第２収納部24を画成した後端開口の箱型をなすとともに、頂板25及び底板26に前記収納皿部４がスライド可能に嵌合するガイド溝27を後端より前方へそれぞれ穿設したケース20と、該ケース前面より突設した櫛歯21とを備え、前記第１収納部23及び第２収納部24内の先端部に前記ノズル部６が嵌合係止される嵌合筒部28をそれぞれ設けるとともに、前記嵌合筒部28内と連通する吐出口29をケース前板30に穿設してなり、前記ノズル部６先端部を破断して前記非固着部ａを露出した状態の一対の液体収納容器Ａ，Ａを、前記ノズル部６をそれぞれ嵌合筒部28に嵌合係止してアプリケーターＢに装着する如く構成したことを特徴とする二液用塗布容器。
【請求項２】
一対の液体収納容器A1を櫛歯21付きのアプリケーターB1に装着して使用する二液用塗布容器であって、前記液体収納容器A1は、圧搾可能な収納皿部４の上端開口縁よりフランジ５を延設した容器本体２と、前記収納皿部４の上端開口を閉塞して前記フランジ５上に周縁部を固着したシート状の蓋体３とからなり、前記フランジ５の一部を、中央に前記収納皿部４と連通する非固着部ａを設けて前記蓋体３を固着したノズル部６として突出形成し、且つ、非固着部ａの先端部分を含んでノズル部６先端部を切り取り可能に構成してなり、前記アプリケーターB1は、支持基板32の一面に櫛歯21を突設するとともに、支持基板32の他面を二分割する仕切板22を延設し、該仕切板22の両側基端部に前記ノズル部６が嵌合係止される嵌合筒部28をそれぞれ設けるとともに、嵌合筒部28内と連通する吐出口29を前記支持基板32に設けてなり、前記ノズル部６先端部を破断して前記非固着部ａを露出した状態の一対の液体収納容器A1，A1を、前記ノズル部６をそれぞれ嵌合筒部28に嵌合係止してアプリケーターB1に装着する如く構成したことを特徴とする二液用塗布容器。
【請求項３】
前記アプリケーターB1に把手34を突設してなる請求項２記載の二液用塗布容器。
【発明の詳細な説明】
【技術分野】
【０００１】
本発明は二液用塗布容器に関する。
【背景技術】
【０００２】
二液用塗布容器として、簡易な交換用の液体収納具を装着して一遍に二液を注出塗布させることのできる二液用塗布容器が知られている。（例えば、特許文献１参照）
【０００３】
上記特許文献１の二液用塗布容器は、液体収納具と、該収納具を装着する塗布用ケースとからなり、液体収納具は、左右一対の圧搾可能な収納凹部及び各凹部よりそれぞれ中央に向かって延設した注出凹溝を凹設するとともに、各注出凹溝部分を含む各収納凹部間中央を縦断する薄肉破断部を設けてなる皿状の収納具本体と、該本体上面に各凹部及び凹溝の上端開口を閉塞して固着したシート材とから構成し、塗布ケースは、一対の注出孔を穿設した頂板上に各注出孔と連通する毛束を固定した下端面開口の扁平筒状をなすとともに、前後壁に液体収納具圧搾用の窓孔を穿設し、且つ、頂板裏面の各注出孔周縁部より係止突起を垂設して構成し、薄肉破断部を折り曲げ破断して各注出凹溝を開口した二つ折りの液体収納具を塗布用ケース内に挿入するとともに、各注出凹溝の開口部を上記各係止突起外面に注出孔と収納凹部内とが連通する如く且つ液密に嵌合係止させて着脱可能に装着したものである。
【特許文献１】特許第３５５９３８６号公報
【発明の開示】
【発明が解決しようとする課題】
【０００４】
上記二液用塗布容器は、液体収納具の液を使い切れば液体収納具のみを交換すれば良く、液体収納具は極めて簡素な構造で経済的であり、しかもケースは度重なる使用が可能であるため、装飾を施した強固なものとすることができる。また、二液の注出，塗布を簡単に行え、また、液体収納具の着脱に当たっては、液体収納具を二つ折りにした後、嵌着するという極めて簡単な操作で装着でき、また、取り外す際には単に液体収納具を引き抜くという極めて簡単な操作で行える等の効果を発揮する優れたものである。
【０００５】
本発明は、この様な利点を備え、更にその構造を簡素化し、また、収納液の乾燥，固化を防止して、開封後も多少の保存が可能な優れた二液用塗布容器を提案するものである。
【課題を解決するための手段】
【０００６】
第１の手段として、一対の液体収納容器Ａを櫛歯21付きのアプリケーターＢに装着して使用する二液用塗布容器であって、前記液体収納容器Ａは、圧搾可能な収納皿部４の上端開口縁よりフランジ５を延設した容器本体２と、前記収納皿部４の上端開口を閉塞して前記フランジ５上に周縁部を固着したシート状の蓋体３とからなり、前記フランジ５の一部を、中央に前記収納皿部４と連通する非固着部ａを設けて前記蓋体３を固着したノズル部６として突出形成し、且つ、非固着部ａの先端部分を含んでノズル部６先端部を切り取り可能に構成してなり、前記アプリケーターＢは、内部を二分割する仕切板22を設けて第１収納部23及び第２収納部24を画成した後端開口の箱型をなすとともに、頂板25及び底板26に前記収納皿部４がスライド可能に嵌合するガイド溝27を後端より前方へそれぞれ穿設したケース20と、該ケース前面より突設した櫛歯21とを備え、前記第１収納部23及び第２収納部24内の先端部に前記ノズル部６が嵌合係止される嵌合筒部28をそれぞれ設けるとともに、前記嵌合筒部28内と連通する吐出口29をケース前板30に穿設してなり、前記ノズル部６先端部を破断して前記非固着部ａを露出した状態の一対の液体収納容器Ａ，Ａを、前記ノズル部６をそれぞれ嵌合筒部28に嵌合係止してアプリケーターＢに装着する如く構成した。
【０００７】
第２の手段として、一対の液体収納容器A1を櫛歯21付きのアプリケーターB1に装着して使用する二液用塗布容器であって、前記液体収納容器A1は、圧搾可能な収納皿部４の上端開口縁よりフランジ５を延設した容器本体２と、前記収納皿部４の上端開口を閉塞して前記フランジ５上に周縁部を固着したシート状の蓋体３とからなり、前記フランジ５の一部を、中央に前記収納皿部４と連通する非固着部ａを設けて前記蓋体３を固着したノズル部６として突出形成し、且つ、非固着部ａの先端部分を含んでノズル部６先端部を切り取り可能に構成してなり、前記アプリケーターB1は、支持基板32の一面に櫛歯21を突設するとともに、支持基板32の他面を二分割する仕切板22を延設し、該仕切板22の両側基端部に前記ノズル部６が嵌合係止される嵌合筒部28をそれぞれ設けるとともに、嵌合筒部28内と連通する吐出口29を前記支持基板32に設けてなり、前記ノズル部６先端部を破断して前記非固着部ａを露出した状態の一対の液体収納容器A1，A1を、前記ノズル部６をそれぞれ嵌合筒部28に嵌合係止してアプリケーターB1に装着する如く構成した。
【０００８】
第３の手段として、前記第２の手段に於いて、前記アプリケーターB1に把手34を突設した。
【発明の効果】
【０００９】
本発明では、一対の液体収納容器Ａを櫛歯21付きのアプリケーターＢに装着して使用するため、液体収納容器Ａのみを交換してアプリケーターは何度も使用できるため、無駄が少なく、廃棄物の量も極力少なく使用でき、安価に利用できるものである。しかも液体収納容器Ａは、圧搾可能な収納皿部４の上端開口縁よりフランジ５を延設した容器本体２と、収納皿部４の上端開口を閉塞してフランジ５上に周縁部を固着したシート状の蓋体３とからなるため、その構造は極めて簡単で製造容易であり、材料費も極力押さえることができる。また、前記フランジ５の一部を、中央に収納皿部４と連通する非固着部ａを設けて蓋体３を固着したノズル部６として突出形成し、且つ、非固着部ａの先端部分を含んでノズル部６の先端部を切り取り可能に構成しているため、液体収納容器Ａを複数用意して必要に応じて使用でき、また、ノズル部６が逆止弁機能を発揮するため、開封後の収納液の酸化等を極力防止できるとともに、開封後でも短期の保管は充分可能である。
【００１０】
また、アプリケーターＢはガイド溝27の存在で液体収納容器Ａを確実に予定位置に嵌合させることができ、二剤を同時に吐出して櫛梳くことができるため、取り扱いが非常に便利となる。また、その構造も極めて簡単であるため、安価に製造できる。
【００１１】
また、第２手段によれば、更にアプリケーターB1の構造が簡素化される利点を兼ね備え、また、把手34を突設したものでは、広範囲にわたり安定して塗布することが可能となる。
【発明を実施するための最良の形態】
【００１２】
以下、本発明の実施例の形態を図面を参照して説明する。
【００１３】
図１は本発明二液用塗布容器の一例を示すもので、該二液用塗布容器１は、一対の液体収納容器Ａ，Ａと、アプリケーターＢとを備えている。
【００１４】
液体収納容器Ａは、容器本体２と蓋体３とから構成している。容器本体２は合成樹脂により形成され、圧搾可能な収納皿部４の上端開口縁よりフランジ５を延設して構成しており、蓋体３は、前記収納皿部４の上端開口を閉塞してフランジ５上に周縁部を固着したシート状をなすもので、合成樹脂の単独シート或いは積層シート、或いは合成樹脂と金属との積層シート等により形成され、容器本体２の上面と同形状に形成している。容器本体２への蓋体３の固着手段としては、融着，接着等の適宜固着手段が採用できる。
【００１５】
本発明では、前記フランジ５の一部を、中央に収納皿部４と連通する非固着部ａを設けて蓋体３を固着したノズル部６として突出形成し、該非固着部ａの先端部分を含んでノズル部６先端部を切り取り可能に構成している。図１の例で容器本体２は、有底円筒状の収納皿部４の上端開口縁より、四角形状の外形を備え且つその一辺から前記ノズル部６を形成するための矩形状の突出部分を突設した形態のフランジ５を設けている。蓋体３はノズル部６以外のフランジ５上面に周縁部を固着するとともに、ノズル部６に於いてはその中央に収納皿部４内と連通する帯状の非固着部ａの三方を囲んで周縁部を固着している。尚、図中ｂは固着部を示す。また、ノズル部６先端部を切り取り可能に構成する手段として、ノズル部６を横断する薄肉の破断線７を設けている。この破断線７を切断することにより非固着部ａが露出し、収納皿部４を圧搾すれば、液が非固着部ａを介して先端切断部分より吐出する如く構成している。尚ノズル部６の両側には一対の係合凹部８を凹設し、破断線７の両側にはノッチ９を穿設している。
【００１６】
本発明の液体収納容器は上記構成としたことにより、その開封したノズル部６が弁機能を備えている。即ち、図４に示す如く、圧搾可能な収納皿部４を押圧することにより収納皿部４内の液はノズル部６の蓋体３及び容器本体２のフランジ５を押し広げて非固着部ａ部分を通って吐出されるが（図４(a) ）、収納皿部４の押圧を解除すれば収納皿部４は弾性復元力で元の状態に戻り、収納皿部４内の負圧化によりノズル部６内の液は引き戻され、また、ノズル部６の蓋体３及び容器本体フランジ５も元の状態に戻るため、通路が閉塞され、逆止弁として機能する。（図４(b) ）
【００１７】
アプリケーターＢは、合成樹脂等により形成されたもので、ケース20の前面に櫛歯21を突設している。図示例では、三角板状の櫛歯21を複数併設しているが、櫛歯21の形態はこれに限らず、例えば先端が丸い円柱状の櫛歯を多数突設したブラシ形態のものであっても良い。ケース20は、内部を二分割する仕切板22を設けて第１収納部23及び第２収納部24を画成した後端開口の箱型をなしている。また、その頂板25及び底板26の後端より前方へ、前記収納皿部４がスライド可能に嵌合するガイド溝27をそれぞれ穿設している。ケース20の第１収納部23及び第２収納部24内の先端部には前記ノズル部６が嵌合係止される嵌合筒部28をそれぞれ設けており、この嵌合筒部28内と連通する吐出口29をケース前板30に穿設している。各嵌合筒部28は一辺を仕切板22と共有する四角筒状をなしており、内面両側に液体収納容器Ａの係合凹部８と係合する係合突部31を突設している。そしてノズル部６の先端部を破断して非固着部ａを露出した状態の一対の液体収納容器Ａ，Ａを、ノズル部６をそれぞれ嵌合筒部28に嵌合係止してアプリケーターＢに装着する如く構成している。
【００１８】
上記二液用塗布容器１使用するに当たっては、まずアプリケーターＢにそれぞれ液体収納容器Ａを装着する。液体収納容器Ａを装着するに当たっては、その破断線７を切断してノズル部６の先端部を除去し、非固着部ａを露出した後、各収納部の後端開口よりノズル部６を挿入するとともに、収納皿部４をガイド溝27にスライドさせて押し込み、ノズル部６を嵌合筒部28に嵌合し、その係合凹部８を嵌合筒部28内の係合突部31と係合させる。同様にもう一つの液体収納容器Ａを第２収納部24に装着して二液用塗布容器を完成する。次いで、収納皿部４の底部を押圧することにより収納皿部４内の収納液を非固着部ａから吐出口29を介して櫛歯21の基端部分に吐出して塗布することができる。この際、二つの液体収納容器Ａから同時に吐出が行え、また、同時に櫛梳くことができる。
【００１９】
図５乃至図７は他の例を示すもので、図１の例の場合と同様に該二液用塗布容器１は、一対の液体収納容器A1，A1と、アプリケーターB1とを備えている。尚、便宜上図６及び図７は一方の液体収納容器A1を装着した状態を示す。液体収納容器A1は、図１の場合と比較して、その収納皿部４の形状及びそれに伴うフランジ５の形状が相違する以外は基本的に同様である。本例の場合には容器本体２は有底四角筒状の収納皿部４を有し、収納皿部４上端縁より外形が四角形状をなすフランジ５を延設し、フランジ５一辺に同様のノズル部６を形成している。また、係合凹部８に代えて係合突部10を突設している。
【００２０】
また、本例に於いてアプリケーターB1は、支持基板32の一面に櫛歯21を突設するとともに、支持基板32の他面を二分割する仕切板22を延設し、該仕切板22の両側基端部にノズル部６が嵌合係止される嵌合筒部28をそれぞれ設けるとともに、嵌合筒部28内と連通する吐出口29を前記支持基板32に設け、支持基板32の周囲より前記各液体収納容器A1の一部をそれぞれ嵌合させるカバー筒33を延設している。また、カバー筒33の後面より把手34を突設している。そして、同様にノズル部６の先端部を破断して非固着部ａを露出した状態の一対の液体収納容器A1，A1を、前記ノズル部６をそれぞれ嵌合筒部28に嵌合係止してアプリケーターB1に装着する如く構成している。尚、ノズル部６はその係合突部10を嵌合筒部28の係合凸部31に乗り越え係合させている。
【００２１】
本例の場合の作用は把手34を掴んでの櫛梳きが可能となる以外原則として図１の例と同様である。
【図面の簡単な説明】
【００２２】
【図１】本発明二液用塗布容器の分解斜視図である。（実施例１）
【図２】本発明二液用塗布容器の一部切欠き平面図である。（実施例１）
【図３】本発明二液用塗布容器の縦断面図である。（実施例１）
【図４】本発明二液用塗布容器の作用を説明する説明図である。（実施例１）
【図５】本発明二液用塗布容器の斜視図である。（実施例２）
【図６】本発明二液用塗布容器の平面図である。（実施例２）
【図７】本発明に液用塗布容器の一部を切り欠いた側面図である。（実施例２）
【符号の説明】
【００２３】
２…容器本体，３…蓋体，４…収納皿部，５…フランジ，６…ノズル部，20…ケース，  21…櫛歯，22…仕切板，23…第１収納部，24…第２収納部，25…頂板，26…底板，  
27…ガイド溝，28…嵌合筒部，29…吐出口，30…前板，32…支持基板，34…把手，
Ａ，A1…液体収納容器，Ｂ，B1…アプリケーター，ａ…非固着部，ｂ…固着部
【図１】
2006232382.tif 000003
【図２】
2006232382.tif 000004
【図３】
2006232382.tif 000005
【図４】
2006232382.tif 000006
【図５】
2006232382.tif 000007
【図６】
2006232382.tif 000008
【図７】
2006232382.tif 000009